(57)【要約】【課題】複数の加熱部の入力インピーダンスの静電容量成分差が大きく、電源スイッチを閉じる際に加熱部に対応した接続端に流れる突入電流量の不平衡を抑制し、使い勝手が良く、信頼性の高い加熱調理器を提供すること。【解決手段】第１のコンデンサ５ｂの静電容量が第２のコンデンサ７ｂの静電容量より大きいことにより、電源スイッチ２を導通状態にする時の、各接続端に流れる突入電流の不平衡をバイパス手段１１によりバイパスすることにより抑制し、第１の接続端２ａの性能劣化や溶着等を防止できる。【選択図】  図１
2004362794.tif 000002
【特許請求の範囲】
【請求項１】
複数の加熱部を有し、前記複数の加熱部の入力の一端は各々共通電位として交流電源の一端に接続し、前記複数の加熱部のうち入力インピーダンスの静電容量成分が他と異なる加熱部を少なくともひとつ有する加熱調理器ものであって、前記複数の加熱部の入力の他端各々と前記交流電源の他端とを前記複数の加熱部各々に対応して設けた複数の接続端を介して接続する電源スイッチと、前記電源スイッチの前記複数の加熱部側の各々の電位端を、入力インピーダンスの静電容量成分が大なる加熱部側から入力インピーダンスの静電容量成分の小なる加熱部側へバイパスするバイパス手段と、前記バイパス手段の動作を制御する制御手段とを有し、前記制御手段は、前記電源スイッチの各接続端が導通する際に、前記複数の加熱部に流入する電流量の偏りを抑制すべく、前記バイパス手段を動作させ、流入する電流量の少ない側の加熱部と前記交流電源とを接続する前記電源スイッチの接続端に電流を一部分配して流入させる加熱調理器。
【請求項２】
電源スイッチは、複数の接続端各々が、金属等の導電物質から成る接点で、且つ前記接点各々が前記電源スイッチの開閉動作に連動して略同時に開閉するよう構成された請求項１に記載の加熱調理器。
【請求項３】
複数の接点の開閉を電気励磁で行う駆動回路を有する請求項２に記載の加熱調理器。
【請求項４】
接点の開閉状態を検知する接点検知手段を有し、制御手段は、駆動回路が前記接点の駆動信号の有無に応じた前記接点検知手段の入力が得られない場合に、対応する加熱部の動作を停止する請求項３に記載の加熱調理器。
【請求項５】
報知手段を有し、制御手段は、駆動回路が接点の駆動信号の有無に応じた接点検知手段の入力が得られない場合に、加熱部の動作を停止していることを報知する請求項４に記載の加熱調理器。
【請求項６】
複数の接続端の導通開始タイミングの時間差が、入力インピーダンスの静電容量成分が大なる加熱部に流入する電流の流入時間未満である請求項１〜５に記載の加熱調理器。
【請求項７】
電源スイッチの複数の接続端各々が、半導体スイッチから成る請求項１に記載の加熱調理器。
【請求項８】
バイパス手段は電源スイッチの接続端が導通する際にバイパスし、少なくとも１つの加熱部が動作開始する際には非導通となる構成の請求項１〜７のいずれか１項に記載の加熱調理器。
【請求項９】
バイパス手段は、金属等の導電物質から成る接点を備えると共に、前記接点の開閉を電気励磁で行う駆動回路が前記接点の開閉タイミングを制御する構成の請求項１〜８のいずれか１項に記載の加熱調理器。
【請求項１０】
バイパス手段は、所定の導通電圧または所定の導通抵抗を有する両導通型半導体素子で構成した請求項１〜８のいずれか１項に記載の加熱調理器。
【請求項１１】
両導通半導体素子は、互いに逆接続した２つのダイオードで構成した請求項１０に記載の加熱調理器。
【発明の詳細な説明】
【０００１】
【発明の属する技術分野】
本発明は一般家庭やレストラン及びオフィス等で使用される複数の加熱部を有する加熱調理器に関するものである。
【０００２】
【従来の技術】
従来の加熱調理器の動作を誘導加熱調理器を例に取り上げ、図面を用いて説明する。図２は従来例の構成を示すブロック図である。
【０００３】
図２において、２１は交流電源、２２は２つの接点２２ａ、２２ｂから成る電源スイッチ、２３は接点２２ａの開閉により交流電源２１と接続の断続が成されると共に、交流電源２１を整流するブリッジ接続されたダイオードから成る第１の整流回路２４、第１のチョークコイル２５ａ及び第１のコンデンサ２５ｂから成る第１の平滑回路２５、第１の加熱コイル（図示せず）と第１のスイッチング素子（図示せず）を含む第１のインバータ回路２６から成る第１の加熱部、２７は接点２２ｂの開閉により交流電源２１と接続の断続が成されると共に、交流電源２１を整流するブリッジ接続されたダイオードから成る第２の整流回路２８、第２のチョークコイル２９ａ及び第２のコンデンサ２９ｂから成る第２の平滑回路２９、第２の加熱コイル（図示せず）と第２のスイッチング素子（図示せず）を含む第２のインバータ回路３０から成る第２の加熱部である。
【０００４】
上記構成において動作を説明する。使用者が本機器を使用する時には、まず、電源スイッチ２２を操作することにより、第１の接点２２ａ並びに第２の接点２２ｂを閉じる。この時、第１の接点２２ａには主に第１のコンデンサ２５ｂへ電荷充電のための突入電流、第２の接点２２ｂには主に第２のコンデンサ２９ｂへ電荷充電のための突入電流がそれぞれ流れる。第１の接点２２ａ並びに第２の接点２２ｂの開閉は、電源スイッチ２２の操作によって略同時に成される。
【０００５】
この後、使用者の操作部（図示せず）のキー操作等により、第１の加熱部２３または第２の加熱部２７の動作が開始され、第１の接点２２ａまたは第２の接点２２ｂには、最大で、対応する加熱部の定格電流がそれぞれ流れる。この時、第１のインバータ回路２６または第２のインバータ回路３０は交流電源２１を対応する第１の整流回路２４または第２の整流回路２８、及び第１の平滑回路２５または第２の平滑回路２９で整流、平滑した直流（第１のコンデンサ２５ｂまたは第２のコンデンサ２９ｂの静電容量が１０〜数十μＦの場合は略全波整流の脈流）を高周波交流に変換し、対応する加熱コイル（図示せず）に高周波電流を流すことで、加熱コイルと磁気結合した鍋等の被加熱体（図示せず）に渦電流を発生させて、そのジュール熱で被加熱体を誘導加熱するものである。
【０００６】
本従来例では第１の加熱部２３と第２の加熱部２７の定格消費電流が同等で、また第１の加熱部２３及び第２の加熱部２７の入力インピーダンスの静電容量成分の大半を占める第１のコンデンサ２５ｂ及び第２のコンデンサ２９ｂの静電容量も多くとも数十μＦで同等であるので、電源スイッチ２２の各加熱部に対応した第１の接点２２ａ及び第２の接点２２ｂに流れる、突入電流及び定格電流レベルも同等となり、第１の接点２２ａ及び第２の接点２２ｂの材質や形状は同等で良く、これらで構成する電源スイッチ２２の構造も簡潔にできると共に、電源スイッチ２２と第１の加熱部２３及び第２の加熱部２７との電気的接続に用いるリード線（図示せず）の接続関係を敢えて規定する必要がないので、機器組み立て時やサービス時の制約が緩和されると言う利点がある（例えば、構成においては特許文献１、突入電流対策においては特許文献２参照）。
【０００７】
【特許文献１】
特許第３３０９８２１号公報（第５−８頁、第１図）
【特許文献２】
特開平５−２９０９６５号公報（第３−４頁、第１図）
【０００８】
【発明が解決しようとする課題】
しかしながら、以上のような従来の加熱調理器では、第１の加熱部２３と第２の加熱部２７の定格消費電流が同等であっても、加熱対象とする負荷材質の相違等に起因する、第１のインバータ回路２６及び第２のインバータ回路３０の回路構成差や必要入力電圧形態の差（例えば脈流成分の大小等）等による第１の平滑回路２５及び第２の平滑回路２９のインダクタンス値及び静電容量値が大きく異なる場合、電源スイッチ２２の第１の接点２２ａ及び第２の接点２２ｂが閉じる際の第１のコンデンサ２５ｂ及び第２のコンデンサ２９ｂに流入する突入電流の振る舞いも大きく異なることになる。
【０００９】
従って、例えば第１のコンデンサ２５ｂの静電容量（約１０００μＦ）が第２のコンデンサ２９ｂのそれ（約１０μＦ）より甚だ大きい場合には、第１のチョークコイル２５ａと第２のチョークコイル２９ａとにインダクタンス値にも差を設けて突入電流のピーク値を抑えるにしろ、機器の実装スペースに制限があり、チョークコイル自体を大型化するには限界があり、十分なインダクタンス値を得られないため、第１の接点２２ａに流れる突入電流値の時間積は第２の接点２２ｂのそれより大きくなり、従来数百μＦの静電容量への突入電流に耐えるように設計された接点を持つ電源スイッチでは、耐えきれずに溶着してしまうと言う課題があった。
【００１０】
また、これに対応するため、この場合第１の接点２２ａの許容電流を大きくするということも考えられるが、特殊仕様の接点となるため汎用性に欠け、通常大型化、或いはコストアップが予想されると共に、コストアップ抑制のため第２の接点２２ｂを現状のままの接点容量のものとしたりすると、電源スイッチ２２と第１の加熱部２３及び第２の加熱部２７との電気的接続に用いるリード線（図示せず）の接続関係を規定する必要が生じ、機器組み立て時やサービス時の制約が発生すると言う課題を有していた。
【００１１】
本発明は、上記課題を解決するもので、１つの加熱部の入力インピーダンスの静電容量成分が大きく、電源スイッチを閉じる際の突入電流が大きくなり、それぞれの加熱部に対応した接続端に流れる突入電流量に不平衡が発生する場合でも、その不平衡を抑制し、それぞれの加熱部に対応した接続端の許容電流容量は従来並み、或いは、汎用性の有る範疇での増加に留め、使い勝手が良く、信頼性の高い加熱調理器を提供することを目的とする。
【００１２】
【課題を解決するための手段】
上記課題を解決するために本発明は、入複数の加熱部を有し、前記複数の加熱部の入力の一端は各々共通電位として交流電源の一端に接続し、前記複数の加熱部のうち入力インピーダンスの静電容量成分が他と異なる加熱部を少なくともひとつ有する加熱調理器ものであって、前記複数の加熱部の入力の他端各々と前記交流電源の他端とを前記複数の加熱部各々に対応して設けた複数の接続端を介して接続する電源スイッチと、前記電源スイッチの前記複数の加熱部側の各々の電位端を、入力インピーダンスの静電容量成分が大なる加熱部側から入力インピーダンスの静電容量成分の小なる加熱部側へバイパスするバイパス手段と、前記バイパス手段の動作を制御する制御手段とを有し、前記制御手段は、前記電源スイッチの各接続端が導通する際に、前記複数の加熱部に流入する電流量の偏りを抑制すべく、前記バイパス手段を動作させ、流入する電流量の少ない側の加熱部と前記交流電源とを接続する前記電源スイッチの接続端に電流を一部分配して流入させる構成としているので、少なくとも１つの加熱部の入力インピーダンスの静電容量成分が大きく、電源スイッチを閉じる際に対応する接続端への突入電流が大きくなり、それぞれの加熱部に対応した接続端に流れる突入電流量に不平衡が発生する場合でも、バイパス手段がその不平衡成分を他の接続端に分配して、その不平衡を抑制することができる。
【００１３】
【発明の実施の形態】
請求項１に記載の発明は、複数の加熱部を有し、前記複数の加熱部の入力の一端は各々共通電位として交流電源の一端に接続し、前記複数の加熱部のうち入力インピーダンスの静電容量成分が他と異なる加熱部を少なくともひとつ有する加熱調理器ものであって、前記複数の加熱部の入力の他端各々と前記交流電源の他端とを前記複数の加熱部各々に対応して設けた複数の接続端を介して接続する電源スイッチと、前記電源スイッチの前記複数の加熱部側の各々の電位端を、入力インピーダンスの静電容量成分が大なる加熱部側から入力インピーダンスの静電容量成分の小なる加熱部側へバイパスするバイパス手段と、前記バイパス手段の動作を制御する制御手段とを有し、前記制御手段は、前記電源スイッチの各接続端が導通する際に、前記複数の加熱部に流入する電流量の偏りを抑制すべく、前記バイパス手段を動作させ、流入する電流量の少ない側の加熱部と前記交流電源とを接続する前記電源スイッチの接続端に電流を一部分配して流入させる構成としているので、この手段により、電源スイッチの複数の接続端が導通・非導通となることで、複数の加熱部への電源の供給・非供給を選択することができる。これにより、複数の加熱部はそれぞれ対応する接続端を介して交流電源より電力供給を受け、この電力によって非加熱体を加熱することができる。
【００１４】
また、複数の接続端が導通する際に発生する突入電流は各加熱部の入力インピーダンスの静電容量成分や抵抗成分、インダクタンス成分に依り、その大きさや持続時間が異なるので、各加熱部の入力インピーダンスの静電容量成分や抵抗成分、インダクタンス成分がほぼ同等、例えば各々、静電容量成分が数十μＦ、インダクタンス成分が数百μＨ、抵抗成分数百ｍΩ程度の場合には、交流電源が商用電源であれば、接続端個々の定格許容実効電流が十数〜２０Ａ程度（加熱部の定格実効電流に対しても十分満足している）のもので、機器の耐用年数に見合った耐久性は確保される。
【００１５】
しかし、ある加熱部の入力インピーダンスの静電容量成分が上記の約十〜数十倍以上にもなると、この静電容量成分を充電するために発生する突入電流のエネルギーは膨大となり、動作時の定格実効電流を連続的に流すことによる発熱等の問題から抵抗成分を大きくできない機器においては、インダクタンス値を増加させる方策をとるが、機器への実装上の制約から十分な値を得ることができない（せいぜい約数ｍＨ）ことに加え、この方策では突入電流のエネルギー自体は大きく抑制できないので、結果としてこの加熱部と交流電源を接続する接続端は上記の定格実効電流のものでは耐えきれずに性能劣化、最悪破壊に至ってしまう。
【００１６】
更に、該当の接続端の定格実効電流容量を大きくする方策でも、形状的な機器実装の制約や、コストアップ抑制のため他の接続端を上記した接点容量のものとすると、電源スイッチと該当の加熱部及び他の加熱部との電気的接続に用いるリード線の接続関係を規定する必要が生じ、機器組み立て時やサービス時の制約が発生したり、或いは機構的に接続端を断続する形式の接続端（タンブラースイッチ等）では、操作性に支障が発生する場合がある。
【００１７】
この様な場合において、バイパス手段が電源スイッチの各接続端が導通する際、入力インピーダンスの静電容量成分が大なる加熱部を交流電源と接続する接続端の当該加熱部側から入力インピーダンスの静電容量成分が小なる加熱部を交流電源と接続する接続端へとバイパスし、この接続端にも一部、入力インピーダンスの静電容量成分が大なる加熱部を交流電源と接続する接続端に流れる突入電流を分流するので、入力インピーダンスの静電容量成分が大なる加熱部を交流電源と接続する接続端の許容電流容量を極端に大きくしたり、当該加熱部の入力インピーダンスのインダクタンス成分を極端に大きくすることなく、突入電流の不平衡を抑制できるという作用を有する。
【００１８】
請求項２に記載の発明は、請求項１に記載の構成に加え、電源スイッチの複数の接続端各々が、金属等の導電物質から成る接点で、且つ前記接点各々が前記電源スイッチの開閉動作に連動して略同時に開閉するよう構成しているので、この手段により、タンブラースイッチ等、既存の多極電源スイッチで、使用者の意志に応じて、交流電源から複数の加熱部への電源供給を行うことができるという作用を有する。
【００１９】
請求項３に記載の発明は、請求項２に記載の構成に加え、複数の接点の開閉を電気励磁で行う駆動回路を有する構成としているので、この手段により、使用者は、タッチ式キーを押すなどの簡単、軽微な動作で交流電源から複数の加熱部への電源供給を行うことができるという作用を有する。
【００２０】
請求項４に記載の発明は、請求項３に記載の構成に加え、接点の開閉状態を検知する接点検知手段を有し、駆動回路が前記接点の駆動信号の有無に応じた前記接点検知手段の入力が得られない場合に、対応する加熱部の動作を停止する構成としたものであり、この手段により、万一接点が溶着或いは閉じない等の故障を生じ、加熱部が使用者の意図とは関係なく加熱動作を継続する事態になっても、加熱部の動作を停止することにより、安全性を確保することができるという作用を有する。
【００２１】
請求項５に記載の発明は、請求項４に記載の構成に加え、報知手段を有し、駆動回路が接点の駆動信号の有無に応じた接点検知手段の入力が得られない場合に、加熱部の動作を停止していることを報知する構成としているので、この手段により、使用者に機器の異常状態を認知させて、適切な処置を講じることを促すことができるという作用を有する。
【００２２】
請求項６に記載の発明は、請求項１〜５に記載の構成に加え、複数の接続端の導通開始タイミング差が、入力インピーダンスの静電容量成分が大なる加熱部に流入する電流の流入時間未満である構成としているので、この手段により、各接続端の導通開始直後の突入電流の不平衡を確実に抑制することができるという作用を有する。
【００２３】
請求項７に記載の発明は、請求項１に記載の構成に加え、電源スイッチの複数の接続端各々が、半導体スイッチから成る構成としているので、この手段により、各半導体スイッチを同タイミングで駆動すれば、これら半導体スイッチの導通タイミングの個体差は数〜数十μ秒であり、入力インピーダンスの静電容量成分が大なる加熱部に流入する電流の流入時間未満に容易にすることができるので、各接続端の導通開始直後の突入電流の不平衡をより確実に抑制することができるという作用を有する。
【００２４】
請求項８に記載の発明は、請求項１〜７に記載の構成に加え、バイパス手段は電源スイッチの接続端が導通する際にバイパスし、少なくとも１つの加熱部が動作開始する際には非導通となる構成としているので、この手段により、突入電流の不平衡を抑制後に機器が動作可能になった時点で、バイパス手段のバイパス動作（導通状態）を停止して、非導通にすることで、各加熱部が同時動作する時に、各加熱部に対応する各接続端に流れる電流においては、接続端個々に対応加熱部の消費電流のみを負担するので、接続端の接触抵抗、導通抵抗、導通電圧の個体差等による接続端に流れる電流の不平衡を皆無にして、接続端の許容定格電流を超えることを防止するという作用を有する。
【００２５】
請求項９に記載の発明は、請求項１〜８に記載の構成に加え、バイパス手段は、金属等の導電物質から成る接点を備えると共に、前記接点の開閉を電気励磁で行う駆動回路が前記接点の開閉タイミングを制御する構成としているので、この手段により、駆動回路が所望のタイミングでこの接点の開閉を制御できるので、突入電流の不平衡を抑制後に、このバイパス手段の接点の導通状態を容易に非導通にし、各加熱部が同時動作する時に、各加熱部に対応する各接続端に流れる電流においては、接続端個々に対応加熱部の消費電流のみを負担するので、接続端の接触抵抗、導通抵抗、導通電圧の個体差等による接続端に流れる電流の不平衡を皆無にして、接続端の許容定格電流を超えることを防止するという作用を有する。
【００２６】
請求項１０に記載の発明は、請求項１〜８に記載の構成に加え、バイパス手段は、所定の導通電圧または所定の導通抵抗を有する両導通型半導体素子で構成しているので、この手段により、比較的小型、安価で突入電流耐性に優れる素子でバイパス手段を構成でき、バイパス手段搭載に関して、スペース制約のある機器においては、比較的容易に搭載できるという作用を有する。
【００２７】
請求項１１に記載の発明は、請求項１０に記載の構成とすると共に、両導通半導体素子は、互いに逆接続した２つのダイオードで構成としているので、この手段により、ダイオードの持つ導通電圧の存在により、突入電流の不平衡を抑制後に機器が動作可能になった時点で、バイパス手段のバイパス動作（導通状態）を停止して、非導通にすることで、各加熱部が同時動作する時に、各加熱部に対応する各接続端に流れる電流においては、接続端個々に対応加熱部の消費電流のみを負担するので、接続端の接触抵抗、導通抵抗、導通電圧の個体差等による接続端に流れる電流の不平衡を皆無にして、接続端の許容定格電流を超えることを防止すると共に、バイパス手段搭載に関して、駆動回路等が不要であるので、スペース制約のある機器においては、更に容易に搭載できるという作用を有する。
【００２８】
【実施例】
（実施例１）
以下本発明の実施例を誘導加熱調理器を例に取り上げ、図面に基づいて説明する。図１は本発明の第１の実施例の構成を示すブロック図である。
【００２９】
図１において、１は交流電源、２は２つの接続端２ａ、２ｂ（定格実効電流容量１６Ａ）から成る電源スイッチ、３は第１の接続端２ａの開閉により交流電源１と接続の断続が成されると共に、交流電源１を整流するブリッジ接続されたダイオードから成る第１の整流回路４、第１のチョークコイル５ａ（インダクタンス大、約３ｍＨ）及び第１のコンデンサ５ｂ（静電容量大、約１０００μＦ）から成る第１の平滑回路５、第１の加熱コイル（図示せず）と第１のスイッチング素子（図示せず）を含む第１のインバータ回路６から成る第１の加熱部、７は第２の接続端２ｂの開閉により交流電源１と接続の断続が成されると共に、交流電源１を整流するブリッジ接続されたダイオードから成る第２の整流回路８、第２のチョークコイル９ａ（インダクタンス小、約２００μＨ）及び第２のコンデンサ９ｂ（静電容量小、約１０μＦ）から成る第２の平滑回路９、第２の加熱コイル（図示せず）と第２のスイッチング素子（図示せず）を含む第２のインバータ回路１０から成る第２の加熱部、１１は電源スイッチ２の第１の加熱部３及び第２の加熱部７側各々の電位端を、第１の加熱部側から第２の加熱部７側へバイパスするバイパス手段、１２は、電源スイッチ２を電磁式リレー或いは半導体スイッチとした場合、これを導通・非導通にするための第１の駆動回路、１３は電源スイッチ２を電磁リレーとした場合に、第１の接続端（接点）２ａ及び第２の接続端（２ｂ）の対応する各加熱部側の電位を検出し、各接続端（接点）の導通・非導通状態を検知する接点検知手段、１４は電源スイッチ２を電磁リレーとした場合に、接点検知手段１３の出力を基に所望の情報を使用者に報知する報知手段、１５はバイパス手段１１が電磁リレーとした場合のリレー接点を導通・非導通にするための第２の駆動回路、１６は使用者が第１の加熱部３並びに第２の加熱部７を所望の動作状態に設定すると共に、これに応じて第１の加熱部３及び第２の加熱部７を動作させる信号を出力したり、第１の駆動回路１２及び第２の駆動回路１５を動作させる信号を出力たり、或いは接点検知手段１３の出力に応じて報知手段に所望の情報を使用者に報知する信号の出力を行う操作・制御回路（制御手段）である。
【００３０】
上記構成において動作を説明する。使用者が本機器を使用する時には、まず、電源スイッチ２がタンブラースイッチ等であれば、これを操作することにより、第１の接点２ａ並びに第２の接点２ｂを略同時に閉じる。
【００３１】
また、電源スイッチ２が電磁リレー或いは半導体スイッチの場合は、操作・制御回路１６のタクトスイッチを操作して第１の駆動回路１２に電磁リレー或いは半導体スイッチを導通状態にさせる。電源スイッチ２がタンブラースイッチ等であれば、使用者はある程度の操作力を必要とするが、電磁リレー或いは半導体スイッチであれば、上記のようにタクトスイッチを押すという簡単な操作で電源スイッチ２を動作させることができる。
【００３２】
この時、第１の接続端２ａには第１のコンデンサ５ｂへ電荷充電のための突入電流、第２の接続端２ｂには第２のコンデンサ９ｂへ電荷充電のための突入電流がそれぞれ流れようとするが、バイパス手段１１により、第１の接続端２ａと第２の接続端２ｂは各加熱部側から見て並列接続となることで、第１の接続端２ａと第２の接続端２ｂにそれぞれ流れるべき突入電流を略均等に分担する。これにより、バイパス手段１１が無ければ、静電容量大の第１のコンデンサ５ｂによる突入電流は第１の接続端２ａにのみ流れる所を、第１の接続端２ａ及び第２の接続端２ｂに分配することができる。このため、所望の耐久回数を満足せず溶着したり、破壊する等、１つの接続端では耐えられないような突入電流でも２つの接続端の並列接続により耐えるようにすることができる。
【００３３】
また、第１の接続端２ａの定格実効電流容量を大きくして（２０Ａ超）突入電流に対する耐性を向上せず、形状的な機器実装の制約や、コストアップ抑制のため第２の接続端２ｂと同じ上記した定格実効電流容量（１６Ａ）のものとできるので、電源スイッチと該当の加熱部及び他の加熱部との電気的接続に用いるリード線の接続関係を規定する必要もなく、機器組み立て時やサービス時の制約は発生しない。更に、第１の加熱部３の入力インピーダンスの静電容量成分は第２の加熱部７のそれの約１００倍にもなると、この静電容量成分を充電するために発生する突入電流のエネルギーは膨大であり、動作時の定格実効電流を連続的に流すことによる発熱等の問題から抵抗成分を大きくできない機器においては、インダクタンス値を増加させるにも、機器への実装上の制約から十分な値を得ることはできないし、突入電流のエネルギー自体は大きく抑制できないが、本実施例では、この状態においても、２つの接続端の並列接続により耐えるようにすることができる。
【００３４】
バイパス手段１１が電磁リレーである場合は、電源スイッチ２が導通状態になった直後或いは導通状態になる以前に第２の駆動回路１５により導通状態にされている。また、突入電流が流れ終わった後、例えば、本実施例では突入電流は約百ｍ秒以下で流れ終わるので、電源スイッチ２が導通してから５００ｍ秒後にバイパス手段１１の電磁リレーを非導通にして、第１の加熱部３または第２の加熱部７が動作する時に流れる定常電流は対応する第１の接続端２ａまたは第２の接続端２ｂそれぞれに流れるようにして、第１の加熱部３と第２の加熱部７が同時動作する時に、対応する第１の接続端２ａと第２の接続端２ｂに流れる電流においては、接続端個々に対応加熱部の消費電流のみを負担するので、接続端の接触抵抗、導通抵抗、導通電圧の個体差等による接続端に流れる電流の不平衡を皆無にして、接続端個々の許容定格電流を超えることを防止している。
【００３５】
バイパス手段１１が所定の導通電圧または所定の導通抵抗を有する両導通型半導体素子、本実施例では、互いに逆接続した２つのダイオードで形成、である場合は、電源スイッチ２が導通状態になった直後、突入電流が流れ出した瞬間にこの突入電流のエネルギーによって、第１の接続端２ａの第１の加熱部３側の電位端電圧と第２の接続端２ｂの第２の加熱部７側電位端電圧との差が、このダイオードの導通電圧略１Ｖを容易に超えるので、ダイオードが導通状態になり突入電流を第１の接続端２ａと第２の接続端２ｂに分配する。
【００３６】
また、突入電流のエネルギーが流れながら減衰していくので、第１の接続端２ａの第１の加熱部３側の電位端電圧と第２の接続端２ｂの第２の加熱部７側電位端電圧との差が、このダイオードの導通電圧略１Ｖを超えなくなると、バイパス手段１１のダイオードは非導通になる。これにより、第１の加熱部３または第２の加熱部７が動作する時に流れる定常電流は対応する第１の接続端２ａまたは第２の接続端２ｂそれぞれに流れるようにして、第１の加熱部３と第２の加熱部７が同時動作する時に、対応する第１の接続端２ａと第２の接続端２ｂに流れる電流においては、接続端個々に対応加熱部の消費電流のみを負担するので、接続端の接触抵抗、導通抵抗、導通電圧の個体差等による接続端に流れる電流の不平衡を皆無にして、接続端個々の許容定格電流を超えることを防止している。
【００３７】
第１の加熱部３または第２の加熱部７が動作する時には、第１の接続端２ａの第１の加熱部３側の電位端電圧と第２の接続端２ｂの第２の加熱部７側電位端電圧との差が、バイパス手段１１のダイオードの導通電圧略１Ｖを超えることはなく、バイパス手段１１の非導通状態は保たれる。この場合、バイパス手段１１が電磁リレーである時のように、第２の駆動回路１５を必要とせず、簡単な構成で、バイパス手段１１の導通・非導通を制御することができる。
【００３８】
バイパス手段１１が突入電流を第１の接続端２ａと第２の接続端２ｂに分配する際、第１の接続端２ａと第２の接続端２ｂとの導通開始タイミングが突入電流が流れている時間以上あると、突入電流の分配はできないが、突入電流が流れている時間未満、本実施例では第１の加熱部３への突入電流が流れている時間は略交流電源１の周期の略半分（略πラジアン）であり、第１の加熱部３への突入電流ピークはその略半分のπ／２ラジアン付近に発生するので、このピークを抑制するため第１の接続端２ａと第２の接続端２ｂとの導通開始タイミング差をπ／２ラジアン以下に設定している。これにより、各接続端の導通開始直後の突入電流の不平衡を確実に抑制することができる。
【００３９】
第１の加熱部３及び第２の加熱部７への突入電流流入後、電源スイッチ２が電磁リレーまたは半導体スイッチである時は、操作・制御回路１６が第１の駆動回路１２に出力している信号の状態と接点検知手段１３からの第１の接続端２ａ及び第２の接続端２ｂの導通状態の信号とを比較して、第１の駆動回路１２が第１の接続端２ａ及び第２の接続端２ｂを導通状態にしている信号を出しているにも関わらず、接点検知手段１３からの信号が非導通状態であったり、またその逆で第１の駆動回路１２が第１の接続端２ａ及び第２の接続端２ｂを非導通状態にしている信号を出しているにも関わらず、接点検知手段１３からの信号が導通状態であった場合は、故障であると判断して、該当する接続端側の加熱部を動作停止すると共に、報知手段１４によりその旨を使用者に報知する。
【００４０】
故障でないと判断すれば、使用者の操作・制御回路１６へのキー操作等により、第１の加熱部３または第２の加熱部７の動作が開始され、第１の接点２ａまたは第２の接点２ｂには、最大で、対応する加熱部の定格電流がそれぞれ流れる。この時、第１のインバータ回路６または第２のインバータ回路１０は交流電源１を対応する第１の整流回路４または第２の整流回路８、及び第１の平滑回路５または第２の平滑回路９で整流、平滑した直流（第１のコンデンサ５ｂまたは第２のコンデンサ９ｂの静電容量値により、脈流成分を持っている）を高周波交流に変換し、対応する加熱コイル（図示せず）に高周波電流を流すことで、加熱コイルと磁気結合した鍋等の被加熱体（図示せず）に渦電流を発生させて、そのジュール熱で被加熱体を誘導加熱するものである。
【００４１】
尚、本実施例では、加熱部を２つの入力インピーダンスの静電容量成分が異なる誘導加熱方式の構成で説明してあるが、３つ以上有する構成であっても同様の効果が得られるのは言うまでもないことである。また、すべての加熱部が入力インピーダンスの静電容量成分を有する必要もなく、抵抗成分のみのヒーターが含まれていても良い。
【００４２】
【発明の効果】
以上の説明から明らかなように、請求項１〜１１記載の発明によれば、入力インピーダンスの静電容量成分が大なる加熱部のインダクタンス成分や抵抗成分を機器実装不可能なまで大きくすることなく、また、入力インピーダンスの静電容量成分が大なる加熱部に対応する接続端の許容実効電流も大きくせず、機器組み立て時やサービス時の制約を発生させずに、入力インピーダンスの静電容量成分が大なる加熱部への突入電流に耐えうる電源スイッチを形成した加熱調理器を実現することができる。
【図面の簡単な説明】
【図１】本発明の第１の実施例の構成を示すブロック図
【図２】従来例の構成を示すブロック図
【符号の説明】
１  交流電源
２  電源スイッチ
２ａ  第１の接続端
２ｂ  第２の接続端
３  第１の加熱部
７  第２の加熱部
１１  バイパス手段
１２  第１の駆動回路
１３  接点検知手段
１４  報知手段
１５  第２の駆動回路
【図１】
2004362794.tif 000003
【図２】
2004362794.tif 000004